(57)【要約】【課題】不整列状態や絡み合いが著しい茎稈でも、脱粒や引きちぎれを回避しやすい状態で刈取対象と非刈取対象に分草でき、かつ穀粒損失を抑制できるコンバインを提供する。【解決手段】植立茎稈を刈取対象の植立茎稈と非刈取対象の植立茎稈とに切断して分草するように刈取部フレーム２３の横側枠２３ｃの横外側に設けた切断装置４０を備えてある。切断装置４０に動力伝達する伝動機構における刈取部フレーム２３の横側枠２３ｃから走行機体上方側に突出した部位５１の刈取部フレーム内方側を覆うカバー７０を設けてある。刈取部フレーム２３の横側枠２３ｃの上方に走行機体下方側ほど刈取部フレーム内方側に位置する傾斜姿勢で位置して、切断装置４０から落下した茎稈片を横側枠２３ｃよりも刈取部フレーム内方側に落下するように案内する傾斜ガイド部８１を設けてある。【選択図】図５
2010246505.tif 000002
【特許請求の範囲】
【請求項１】
底板部及び前記底板部の横端部に連なった横側枠を備えて構成した刈取部フレームと、植立茎稈に刈取り作用するように前記底板部に支持された刈取装置と、前記刈取装置の上方側位置で掻き込み用タインを回動させて刈取対象の植立茎稈を掻き込み操作する掻き込み装置とを有した刈取前処理部が装備されたコンバインであって、
植立茎稈を刈取対象の植立茎稈と非刈取対象の植立茎稈とに切断して分草するように前記刈取部フレームにおける前記横側枠の横外側に走行機体上下向きに設けた切断装置を備え、
前記切断装置に動力伝達する伝動機構における前記刈取部フレームの前記横側枠から走行機体上方側に突出した部位の刈取部フレーム内方側を覆うカバーを設け、
前記刈取部フレームの前記横側枠の上方に走行機体下方側ほど刈取部フレーム内方側に位置する傾斜姿勢で位置して、前記切断装置から落下した茎稈片を前記横側枠よりも刈取部フレーム内方側に落下するように案内する傾斜ガイド部を、前記カバーに設けてあるコンバイン。
【請求項２】
前記切断装置の上端側を支持するように前記横側枠から走行機体上方向きに延出した支柱を、前記切断装置よりも走行機体後方側に設け、
前記支柱と前記切断装置との間の空間を覆う壁板部を前記カバーに設けてある請求項１記載のコンバイン。
【発明の詳細な説明】
【技術分野】
【０００１】
本発明は、底板部及び前記底板部の横端部に連なった横側枠を備えて構成した刈取部フレームと、植立茎稈に刈取り作用するように前記底板部に支持された刈取装置と、前記刈取装置の上方側位置で掻き込み用タインを回動させて刈取対象の植立茎稈を掻き込み操作する掻き込み装置とを有した刈取前処理部が装備されたコンバインに関する。
【背景技術】
【０００２】
上記したコンバインにおいては、稲、麦などのように条列に沿って植え付けられた整列状態の茎稈の他、菜種やひまわりなどのように条列に沿って植え付けられたものではない不整列状態の茎稈を収穫対象とすることがあり、従来では特許文献１に記載されたものが知られている。
特許文献１に記載されたものでは、茎稈の穂先側を掻き込みリール１５で掻き込んで、茎稈の株元側を刈取装置１２で切断して刈り取るように構成されるとともに、刈取対象の茎稈と非刈取対称の茎稈とを分草具によって分草する。（各符号は、公報に記載されたものである。）
【先行技術文献】
【特許文献】
【０００３】
【特許文献１】特開２００５−２１１０４３号公報（段落〔００１２〕、図１及び図２）
【発明の概要】
【発明が解決しようとする課題】
【０００４】
上記した特許文献１に記載された従来構造のものでは、刈取対象の茎稈に対しては、掻き込みリールによる掻き込み作用などにより、姿勢矯正して刈取作業を行うようにしている。しかし、未刈側に近い位置の刈取対象の茎稈と未刈側の非刈取り対象の茎稈との間で絡み合いが生じた場合、絡み合いの解きほぐしに伴う脱粒や、茎稈の引きちぎれが発生しやすくなっていた。殊に、菜種など、絡み合いの度合いが強い場合、脱粒や引きちぎれがより発生しやすくなっていた。
つまり、刈取対象の茎稈であっても、不整列のために未刈側に近い箇所に位置していると、掻き込みリールによる作用を受けにくく、未刈側の近くに位置する刈取対象の茎稈と非刈取対象の茎稈との絡み合いを分草具による押し分けによってほぐし処理することになる。この場合、絡み合いの強い茎稈にあっては、分草具による押し分けのために強い引っ張り力やこすれが発生して着粒部での脱粒や引きちぎれが発生しやすくなっていた。
【０００５】
本発明の目的は、不整列状態や絡み合いが著しい茎稈でも、脱粒や引きちぎれを回避しやすい状態で刈取対象と非刈取対象とに分草することができ、しかも穀粒損失を抑制することができるコンバインを提供することにある。
【課題を解決するための手段】
【０００６】
本第１発明は、底板部及び前記底板部の横端部に連なった横側枠を備えて構成した刈取部フレームと、植立茎稈に刈取り作用するように前記底板部に支持された刈取装置と、前記刈取装置の上方側位置で掻き込み用タインを回動させて刈取対象の植立茎稈を掻き込み操作する掻き込み装置とを有した刈取前処理部が装備されたコンバインにおいて、
植立茎稈を刈取対象の植立茎稈と非刈取対象の植立茎稈とに切断して分草するように前記刈取部フレームにおける前記横側枠の横外側に走行機体上下向きに設けた切断装置を備え、
前記切断装置に動力伝達する伝動機構における前記刈取部フレームの前記横側枠から走行機体上方側に突出した部位の刈取部フレーム内方側を覆うカバーを設け、
前記刈取部フレームの前記横側枠の上方に走行機体下方側ほど刈取部フレーム内方側に位置する傾斜姿勢で位置して、前記切断装置から落下した茎稈片を前記横側枠よりも刈取部フレーム内方側に落下するように案内する傾斜ガイド部を、前記カバーに設けてある。
【０００７】
本第１発明の構成によると、刈り取ろうとする茎稈が不整列状態にあって掻き込み装置による作用を受けにくい箇所に位置していても、この刈取対象の茎稈、及びこの刈取対象茎稈と絡み合った未刈側の非刈取対象の茎稈の穂先側に切断装置を作用させて、刈取対象の茎稈と非刈取対象の茎稈とを切断装置による切断によって分草させることができる。
刈取対象と非刈取対象の茎稈を切断によって分草できることから、茎稈の絡み合いが強くても、茎稈に無理な引っ張り力やこすれを発生しにくくして脱粒及び引きちぎれを回避しやすい。
【０００８】
切断による分草を行なわせると、切断された茎稈片が切断装置から落下する場合がある。この場合、落下した茎稈片を切断装置の伝動機構を覆うカバーに設けた傾斜ガイド部による落下案内によって刈取部フレーム内方側に落下させ、落下した茎稈片が刈取部フレームの外部にこぼれ出たり、横側枠の上に載ったままになって回収されなくなったりすることを回避しやすい。
【０００９】
したがって、不整列状態にある茎稈の場合でも、菜種など絡み合いが強くて脱粒が発生しやすい茎稈の場合でも、刈取対象の茎稈と非刈取対象の茎稈との分草、及び絡み合いのほぐしに伴う脱粒及び引きちぎれの発生を抑制でき、しかも切断装置から落下した茎稈片の回収漏れ及び刈取部フレーム外へのこぼれ落ちを抑制でき、穀粒損失を少なく済ませながら収穫作業できる。
しかも、刈取装置に導入される茎稈が切断装置の伝動機構に接触することをカバーによって防止してこの面からも穀粒損失の発生を抑制できるのみならず、このカバーに傾斜ガイド部を設けるだけの簡単な構造で済み、構造面及び経済面で有利に得ることができる。
【００１０】
本第２発明は、前記切断装置の上端側を支持するように前記横側枠から走行機体上方向きに延出した支柱を、前記切断装置よりも走行機体後方側に設け、前記支柱と前記切断装置との間の空間を覆う壁板部を前記カバーに設けてある。
【００１１】
本第２発明の構成によると、刈取装置に導入される茎稈が切断装置と支柱の間に入り込むことを壁板部によって防止でき、茎稈の切断装置及び支柱に対する絡み付きを回避しやすい。
【００１２】
したがって、茎稈の切断装置及び支柱に対する絡み付きに起因した穀粒損失も防止できる。
【図面の簡単な説明】
【００１３】
【図１】コンバインの全体を示す右側面図である。
【図２】コンバインの全体を示す左側面図である。
【図３】コンバインの全体を示す平面図である。
【図４】刈取前処理部の前部を示す左側面図である。
【図５】刈取前処理部の切断装置が位置する部位を示す右側面図である。
【図６】切断装置及び伝動機構を示す側面図である。
【図７】切断装置を示す横断平面図である。
【図８】伝動機構を示す正面図である。
【図９】図５のIX−IX断面矢視図である。
【図１０】図５のＸ−Ｘ断面矢視図である。
【図１１】内用のカバーを示す斜視図である。
【発明を実施するための形態】
【００１４】
以下、本発明の実施の形態を図面に基づいて説明する。
図１は、本発明の実施の形態に係るコンバインの全体を示す右側面図である。図２は、本発明の実施の形態に係るコンバインの全体を示す左側面図である。図３は、本発明の実施の形態に係るコンバインの全体を示す平面図である。これらの図に示すように、本発明の実施の形態に係るコンバインは、運転座席１ａを有した運転部１が装備された走行機体２を備え、走行機体２の機体フレーム３の後部側に走行機体横方向に並べて設けられた脱穀装置４と袋詰め部１０とを備え、脱穀装置４の前部にフィーダ２１が走行機体横向き軸芯Ｘまわりに上下揺動自在に連結された刈取前処理部２０を備えて構成してある。
【００１５】
このコンバインは、菜種などの収穫作業を行う。
つまり、走行機体２は、左右一対のクローラ式の走行装置５，５を備え、運転座席１ａの下方に位置するエンジン６からの駆動力によって左右一対の走行装置５，５を駆動して自走する。
【００１６】
刈取前処理部２０は、フィーダ２１が昇降シリンダ２２によって軸芯Ｘまわりに上下に揺動操作されることにより、フィーダ２１の前端部に連結された刈取部フレーム２３が地面近くに下降した下降作業状態と、刈取部フレーム２３が地面から高く上昇した上昇非作業状態とに昇降する。
【００１７】
刈取前処理部２０を下降作業状態にして走行機体２を走行させると、刈取前処理部２０は、植立茎稈を刈取り、刈取茎稈の株元から穂先までの全体をフィーダ２１によって脱穀装置４に供給する。脱穀装置４は、フィーダ２１からの刈取茎稈を脱穀処理し、脱穀粒を揚穀装置７（図３参照）によって穀粒袋詰め部１０のホッパー形の穀粒タンク１１に供給する。
【００１８】
穀粒の袋詰め部１０について説明する。
図１，３に示すように、袋詰め部１０は、前記穀粒タンク１１を備える他、この穀粒タンク１１の底部に走行機体前後方向に並べて設けられた二つの穀粒吐出筒１２，１２、穀粒タンク１１の下方に設けた袋支持バー１３及び袋受けデッキ１４、袋受けデッキ１４の走行機体横方向での外側に設けられた作業台１５を備えている。
【００１９】
籾袋の袋口を穀粒吐出筒１２に装着し、籾袋の袋口の両端部を袋支持バー１３に装着して、籾袋を袋支持バー１３によって吊り下げ支持させるともに袋受けデッキ１４によって受け止め支持させることにより、穀粒タンク１１に貯留された脱穀粒が穀粒吐出筒１２から籾袋に排出され、脱穀粒の袋詰めを行なうことができる。
【００２０】
作業台１５は、機体フレーム３に上下揺動自在に支持されており、上昇格納姿勢と下降使用姿勢とに切り換えることができる。
【００２１】
刈取前処理部２０について詳述する。
図１，２，３に示すように、刈取前処理部２０の刈取部フレーム２３は、フィーダ２１の前端部に連結している後枠２３ａと、この後枠２３ａの下端部に後端部が連なった底板部２３ｂと、この底板部２３ｂの両横端部に下端部が連なった横側枠２３ｃとを備えて構成してある。左右の横側枠２３ｃの後端部は後枠２３ａの横端部に連なっている。
【００２２】
図１，２，３に示すように、刈取前処理部２０は、フィーダ２１及び刈取部フレーム２３を備える他、刈取部フレーム２３の内部の底板部２３ｂの上方に駆動自在に設けられた横送りオーガ２４、刈取部フレーム２３の底板部２３ｂの前端部に駆動自在に支持されたバリカン形の刈取装置２５、刈取部フレーム２３の左右の横側枠２３ｃの前端部に連設された分草具２６、刈取部フレーム２３の後枠２３ａの上部から走行機体前方向きに上下揺動操作自在に延出した左右一対の支持アーム２７の先端部に支持された掻き込み装置２８、刈取部フレーム２３の左側の横側枠２３ｃの横外側に走行機体上下向きに設けたバリカン形の切断装置４０を備えている。
【００２３】
左右の分草具２６は、刈取装置２５よりも走行機体前方側に位置している。左右の分草具２６は、植立茎稈の株元側に押し分け作用して、植立茎稈を刈取対象の植立茎稈と非刈取対象の植立茎稈とに分草する。
【００２４】
図４は、刈取前処理部２０の前部を示す左側面図である。この図に示すように、掻き込み装置２８は、走行機体側面視で正五角形に形成して左右の支持アーム２７に回転自在に支持された回転枠２９を備え、この回転枠２９の各頂部に自転駆動可能に枢支された掻き込みタイン３０を備えて構成してある。
【００２５】
掻き込み装置２８は、回転枠２９に刈取入力軸からベルト伝動機構３１（図１参照）を介して伝動されて回転枠２９が掻き込み方向に回転駆動されることにより、これに同調させて掻き込みタイン３０を逆方向に自転駆動することで、掻き込みタイン３０を常に下方に向けた状態で刈取装置２５の上方側位置で機体前方側から後方側へ円弧状の掻き込み移動軌跡をもって回動作動させ、刈取対象の植立茎稈を回動する掻き込みタイン３０によって刈取部フレーム２３の内部に掻き込み操作する。
【００２６】
図５は、刈取前処理部２０の切断装置４０が位置する部位を示す右側面図である。図７は、切断装置４０を示す横断平面図である。これらの図及び図４に示すように、切断装置４０は、刈取部フレーム２３における左側の横側枠２３ｃの横外側に走行機体上下向きに設けた切断フレーム４１と、この切断フレーム４１の前面側に突設されたガイドプレート４２に上下摺動自在に支持された左右一対の可動刃４３，４３とを備えて構成してある。
【００２７】
図４，５，６，８に示すように、切断装置４０の下端側は、切断フレーム４１の下端部と横側枠２３ｃの外面側とにわたって連結された連結部材４４を介して横側枠２３ｃに支持され、切断装置４０の上端側は、切断フレーム４１の上端部に設けた連結部４１ａに上端部が連結された支柱４５に支持されている。支柱４５は、刈取部フレーム２３の左側の横側枠２３ｃの外面側から走行機体上方向きに延出している。
【００２８】
図６，７に示すように、左右の可動刃４３は、走行機体上下方向に並ぶ複数枚の可動刃ピース４３ａと、各可動刃ピース４３ａに連結ピン４３ｂによって止着されて複数枚の可動刃ピース４３ａを連結しているナイフバー４３ｃとを備えて構成してある。左右の可動刃４３は、ガイドプレート４２の複数箇所に連結ボルト４６を介して取り付けられたナイフクリップ４７を介してガイドプレート４２に摺動自在に装着されている。
【００２９】
切断装置４０は、左右の可動刃４３の下端側に屈曲板金を付設して設けた可動刃操作部４８を備えおり、各可動刃４３の可動刃操作部４８に上端部が連結された走行機体上下向きの連動ロッド５１を備えた伝動機構５０（図６，８参照）を介して刈取装置２５の可動刃２５ａに連動されている。
【００３０】
つまり、切断装置４０は、刈取装置２５の駆動力が伝動機構５０によって左右の可動刃駆動部４８に伝達されることにより、左右一対の可動刃４３，４３が走行機体上下方向に相対摺動するように、かつ往復摺動するように駆動され、左側の分草具２６からの植立茎稈の分草具２６よりも穂先側に位置する部位に左右一対の可動刃４３，４３を作用させる。これにより、切断装置４０は、分草具６２からの植立茎稈の分草具６２よりも穂先側に位置する部位を切断し、分草具６２からの植立茎稈を刈取対象の植立茎稈と非刈取対象の植立茎稈とに分草するとともに刈取対象と非刈取対象の茎稈の絡み合いをほぐし、分草後の刈取対象の植立茎稈を刈取部フレーム２３の内部に流動させ、分草後の非刈取対象の植立茎稈を刈取部フレーム２３の外部に流動させる。
【００３１】
刈取装置２５は、前記可動刃２５ａを備える他、この可動刃２５ａが摺動するように構成して刈取部フレーム２３の底板部２３ｂの前端部に固定された固定刃を備えて構成してあり、掻き込み装置２８によって穂先側が刈取部フレーム２３の内部に掻き込み供給された刈取対象の植立茎稈、及び切断装置４０によって分草された刈取対象の植立茎稈の株元側に刈り取り作用する。
【００３２】
横送りオーガ２４は、刈取装置２５からの刈取茎稈を刈取部フレーム２３の底板部２３ｂに沿わせてフィーダ２１の前側に向けて横移送し、フィーダ２１の前側に到達した刈取茎稈を横送りオーガ２４が一体回転自在に備える掻き送りバー２４ａによってフィーダ２１の搬送ダクトの前端部内に送り込む。
【００３３】
フィーダ２１は、搬送ダクトに送り込まれた刈取茎稈を搬送ダクトの内部に位置する無端回動形のコンベヤ２１ａ（図２参照）によって脱穀装置４の前端部に揚送して刈取茎稈の株元から穂先までの全体を脱穀装置４の扱室に送り込む。
【００３４】
図６は、切断装置４０に動力伝達する伝動機構５０を示す側面図である。図８は、切断装置４０に動力伝達する伝動機構５０を示す正面図である。これらの図に示すように、切断装置４０に動力伝達する伝動機構５０は、前記一対の連動ロッド５１，５１を備える他、一方の連動ロッド５１の下端側が一方の遊端部に連結され、他方の連動ロッド５１の下端側が他方の遊端部に連結された天秤型の揺動自在な連動リンク５２と、この連動リンク５２のボス部５２ａに噛み合い式のクラッチ５３を介して連動する回転伝動軸５４と、この回転伝動軸５４の後端側から走行機体下方向きに一体回転自在に延出した揺動リンク５５と、この揺動リンク５５を刈取装置２５の可動刃２５ａに連結している走行機体横向きの連動ロッド５６とを備えて構成してある。
【００３５】
回転伝動軸５４は、横側枠２３ｃの外面側に設けた前後一対の軸支具５７，５７に回転自在に支持されている。各軸支具５７は、横側枠２３ｃの外面側に板金部材を付設して設けた支持台５８に支持されている。
【００３６】
図６，８に示すように、クラッチ５３は、連動リンク５２のボス部５２ａと、回転伝動軸５４に一体回転自在に設けた伝動ピン５４ａとによって構成してあり、連動リンク５２のボス部５２ａにフォーク５９ａを介して連動しているロッド形の操作具５９によって入り状態と切り状態とに切り換え操作されて、切断装置４０を駆動状態と停止状態とに切り換える。
【００３７】
すなわち、操作具５９が摺動操作されると、操作具５９による操作力と、回転伝動軸５４に装着されたスプリング５３ａ（図６参照）による操作力とによって連動リンク５２のボス部５２ａが回転伝動軸５４に対してスライドしてボス部５２ａの端部に設けてある切り欠きに伝動ピン５４ａが係脱する。伝動ピン５４ａがボス部５２ａの切り欠きに係入すると、ボス部５２ａと回転伝動軸５４とが係合し合って一体回転する。伝動ピン５４ａがボス部５２ａの切り欠きから離脱すると、ボス部５２ａと回転伝動軸５４とが係合解除状態になって相対回転する。
【００３８】
図４に示すように、刈取部フレーム２３は、横側枠２３ｃの外面側に脱着自在に設けた外用のカバー６０を備えている。この外用のカバー６０は、横側枠２３ｃの横外側に位置する下部カバー部６１と、切断装置４０の横外側に位置する上部カバー部６２とを備えて構成してあり、伝動機構５０の刈取部フレーム外方側を下部カバー部６１と上部カバー部６２とによって覆い、伝動機構５０に刈取部フレーム外方側から茎稈が入り込むことを防止する。
【００３９】
図５に示すように、刈取部フレーム２３は、横側枠２３ｃと支柱４５と切断装置４０の切断フレーム４１とにわたって脱着自在に取り付けた内用のカバー７０を備えている。
【００４０】
図９は、図５のIX−IX断面矢視図である。図１０は、図５のＸ−Ｘ断面矢視図である。図１１は、内用のカバー７０を示す斜視図である。これらの図、及び図５，８に示すように、内用のカバー７０は、伝動機構５０の連動ロッド５１の刈取部フレーム内方側での横側方に位置する伝動カバー部７１と、この伝動カバー部７１の後部に連なった状態で横側枠２３ｃの上側に位置する第一の傾斜カバー部７２と、この第一の傾斜カバー部７２の後部に連なった状態で横側枠２３ｃの上側に位置する第二の傾斜カバー部７３と、第一の傾斜カバー部７２の上部に連なった状態で支柱４５と切断装置４０の切断フレーム４１との間に位置する壁板部７４とを備えて構成してある。
【００４１】
図９，１０，１１に示すように、内用のカバー７０は、第一の傾斜カバー部７２の下端部の裏面側に設けた前後一対の第一連結部材７５，７５と、第二の傾斜カバー部７３の下端部の裏面側に設けた第二連結部材７６と、壁板部７４の上部に設けた前後一対の連結孔７７，７７とを備えており、これらの連結部材７５，７６及び連結孔７７によって横側枠２３ｃと切断装置４０の切断フレーム４１と支柱４５とにわたって取り付けられる。
【００４２】
すなわち、前後一対の第一連結部材７５，７５及び第二連結部材７６は、これと横側枠２３ｃの上面側とにわたって連結ボルト７８が装着されることによって、内用のカバー７０の下端側を横側枠２３ｃに連結する。前後一対の連結孔７７，７７のうちの前側の連結孔７７は、これと切断フレーム４１に設けた支持部材７９（図１０参照）とにわたって連結ネジ７９ａが装着されることにより、内用のカバー７０の上端側を切断フレーム４１に連結する。前後一対の連結孔７７，７７のうちの後側の連結孔７７は、これと支柱４５に設けた支持部材８０（図１０参照）とにわたって連結ネジ８０ａが装着されることにより、内用のカバー７０の上端側を支柱４５に連結する。
【００４３】
図５，９に示すように、内用のカバー７０は、伝動機構５０の横側枠２３ｃから走行機体上方側に突出した部位としての連動ロッド５１の刈取部フレーム内方側を伝動カバー部７１によって覆い、茎稈の連動ロッド５１に対する接触を防止する。
【００４４】
図５に示すように、内用のカバー７０は、切断装置４０の切断フレーム４１と支柱４５の間の空間を壁板部７４によって覆い、茎稈が切断フレーム４１と支柱４５の間に入り込んで切断フレーム４１や支柱４５にから絡みつくことを防止する。
【００４５】
図５，８，９に示すように、内用のカバー７０は、第一の傾斜カバー部７２及び第二の傾斜カバー部７３によって傾斜ガイド部８１を構成している。この傾斜ガイド部８１は、横側枠２３ｃの上方に走行機体下方側ほど刈取部フレーム内方側に位置する傾斜姿勢で位置しており、切断装置４０による切断によって稈身から分離して切断装置４０から落下した茎稈片を横側枠２３ｃよりも刈取部フレーム内方側に落下するように案内し、茎稈片が刈取部フレーム２３の外部にこぼれ落ちたり、横側枠２３ｃの上端面２３ｄ（図８，９参照）に載ったままになって回収されなくなることを防止する。
【産業上の利用可能性】
【００４６】
本発明は、切断装置４０が刈取部フレーム２３の左横外側だけに設けられたコンバインの他、切断装置４０が刈取部フレーム２３の右横外側だけに設けられたコンバインにも、切断装置４０が刈取部フレーム２３の両横外側に設けられたコンバインにも利用できる。
【符号の説明】
【００４７】
２０        刈取前処理部
２３        刈取部フレーム
２３ｂ      刈取部フレームの底板部
２３ｃ      刈取部フレームの横側枠
２５        刈取装置
２８        掻き込み装置
３０        掻き込みタイン
４０        切断装置
４５        支柱
５０        伝動機構
５１        伝動機構の横側枠より走行機体上方側に突出した部位
７０        カバー
７４        壁板部
８１        傾斜ガイド部
【図１】
2010246505.tif 000003
【図２】
2010246505.tif 000004
【図３】
2010246505.tif 000005
【図４】
2010246505.tif 000006
【図５】
2010246505.tif 000007
【図６】
2010246505.tif 000008
【図７】
2010246505.tif 000009
【図８】
2010246505.tif 000010
【図９】
2010246505.tif 000011
【図１０】
2010246505.tif 000012
【図１１】
2010246505.tif 000013